(57)【特許請求の範囲】
【請求項１】
複数のユーザそれぞれの過去の旅行プランに関する過去プラン情報に基づいた統計であり、当該過去の旅行プランにおいて取られたユーザの行動に関する過去行動情報と、当該行動が取られた際のユーザの持ち物に関する持ち物情報とが対応付けられた行動統計情報を格納する行動統計情報格納手段と、
ユーザの未来の行動に関する未来行動情報を取得する未来行動情報取得手段と、
前記行動統計情報格納手段によって格納された行動統計情報から、前記未来行動情報取得手段によって取得された未来行動情報に対応する過去行動情報に対応付けられた持ち物情報を抽出する持ち物情報抽出手段と、
ユーザの現在の状況に関する状況情報を取得する状況情報取得手段と、
前記持ち物情報抽出手段によって抽出された持ち物情報を、前記状況情報取得手段によって取得された状況情報に基づいて出力する持ち物情報出力手段と、
を備える持ち物提案装置。
【請求項２】
前記行動統計情報格納手段によって格納された行動統計情報には、当該行動が取られた際の環境に関する過去環境情報がさらに対応付けられており、
前記未来行動情報取得手段は、未来行動情報と、当該未来行動情報が示す行動が取られる際の環境に関する未来環境情報とを取得し、
前記持ち物情報抽出手段は、前記行動統計情報格納手段によって格納された行動統計情報から、前記未来行動情報取得手段によって取得された未来行動情報と未来環境情報とにそれぞれ対応する過去行動情報と過去環境情報とに対応付けられた持ち物情報を抽出する、
請求項１に記載の持ち物提案装置。
【請求項３】
持ち物情報出力手段は、前記持ち物情報抽出手段によって抽出された持ち物情報のうち、持ち物情報が示す持ち物が前記行動統計情報格納手段によって格納された行動統計情報において行動特有の持ち物である持ち物情報を優先して出力する、
請求項１又は２に記載の持ち物提案装置。
【請求項４】
前記行動統計情報格納手段によって格納された行動統計情報には、当該持ち物が過去の旅行プランにおいて設定されているユーザの割合に関する割合情報がさらに対応付けられており、
前記持ち物情報出力手段は、前記持ち物情報抽出手段によって抽出された持ち物情報と、前記行動統計情報格納手段によって格納された行動統計情報において当該持ち物情報に対応付けられた割合情報とを出力する、
請求項１〜３の何れか一項に記載の持ち物提案装置。
【請求項５】
ユーザの未来の旅行プランに関する未来プラン情報を入力する未来プラン情報入力手段をさらに備え、
前記未来行動情報取得手段は、前記未来プラン情報入力手段によって入力された未来プラン情報から抽出された未来行動情報を取得する、
請求項１〜４の何れか一項に記載の持ち物提案装置。
【請求項６】
前記未来プラン情報入力手段によって入力された未来プラン情報を過去プラン情報として格納する過去プラン情報格納手段と、
前記過去プラン情報格納手段によって格納された過去プラン情報と、当該過去プラン情報から抽出された過去行動情報とに基づいて統計処理を行い、行動統計情報を生成する行動統計情報生成手段と、
をさらに備え、
前記行動統計情報格納手段は、前記行動統計情報生成手段によって生成された行動統計情報を格納する、
請求項５に記載の持ち物提案装置。
【請求項７】
複数のユーザそれぞれの過去の旅行プランに関する過去プラン情報に基づいた統計であり、当該過去の旅行プランにおいて取られたユーザの行動に関する過去行動情報と、当該行動が取られた際のユーザの持ち物に関する持ち物情報とが対応付けられた行動統計情報を格納する行動統計情報格納手段を備える持ち物提案装置により実行される持ち物提案方法であって、
ユーザの未来の行動に関する未来行動情報を取得する未来行動情報取得ステップと、
前記行動統計情報格納手段によって格納された行動統計情報から、前記未来行動情報取得ステップにおいて取得された未来行動情報に対応する過去行動情報に対応付けられた持ち物情報を抽出する持ち物情報抽出ステップと、
ユーザの現在の状況に関する状況情報を取得する状況情報取得ステップと、
前記持ち物情報抽出ステップにおいて抽出された持ち物情報を、前記状況情報取得ステップにおいて取得された状況情報に基づいて出力する持ち物情報出力ステップと、
を含む持ち物提案方法。
【発明の詳細な説明】
【技術分野】
【０００１】
本発明は、ユーザの未来の行動に対して持ち物を提案する持ち物提案装置及び持ち物提案方法に関する。
【背景技術】
【０００２】
従来、ユーザが入力した希望条件にマッチする旅行プランを提案するシステムが知られている（例えば下記特許文献１）。
【先行技術文献】
【特許文献】
【０００３】
【特許文献１】特開２００５−４４１７３号公報
【発明の概要】
【発明が解決しようとする課題】
【０００４】
しかしながら、上述のシステムに提案された旅行プランに従ってユーザが旅行をした際に、持ち物が不十分であり、旅行を満喫できないことがある。
【０００５】
例えば、旅行（お出かけ）先の野球場でメガホンを買おうと思ったら長打の列ができていて、買うのに時間がかかることがある。その場合、メガホンを事前に購入しておけば、より旅行を満喫できた。また例えば、旅行先の公園に日向ぼっこに行った時に、小難しい本を持って行き、読む雰囲気でないことがある。その場合、外でも気軽に読める本を持って行けば、より旅行を満喫できた。また例えば、海外旅行で飛行機に乗ったものの、携帯用枕、スリッパ及びアイマスクの３点セットを持っていかなかったので快眠できないことがある。そのような長距離便に乗る場合は、３点セットを事前に持っていけば、より旅行を満喫できた。また例えば、旅行先のスキー場で、スリッパが無かったので山小屋で十分に足を休ませることができないことがある。その場合、携帯用スリッパをスキーウェアに忍ばせておけば、より旅行を満喫できた。また例えば、アジア圏や九州に行った時に、醤油が甘口で東京人には耐えられない場合がある。その場合、辛口の醤油をポーチに忍ばせておけば、より旅行を満喫できた。また例えば、合宿でロッジに泊まったが、トランプに飽きることがある。その場合、パーティーゲームを持っていけば、より旅行を満喫できた。
【０００６】
旅行において初めて訪れる土地や初めて行うアクティビティに対して、事前調査を実施して、予め持ち物の十分な準備を行うことは膨大な時間と労力がかかる。また、初めてのことに対しては、必要な持ち物の予測が立てづらく、事前調査の方向性を決めることも難しい。
【０００７】
そこで、本発明は、かかる課題に鑑みて為されたものであり、ユーザの未来の行動に対して持ち物を提案することができる持ち物提案装置及び持ち物提案方法を提供することを目的とする。
【課題を解決するための手段】
【０００８】
上記課題を解決するため、本発明の持ち物提案装置は、複数のユーザそれぞれの過去の旅行プランに関する過去プラン情報に基づいた統計であり、当該過去の旅行プランにおいて取られたユーザの行動に関する過去行動情報と、当該行動が取られた際のユーザの持ち物に関する持ち物情報とが対応付けられた行動統計情報を格納する行動統計情報格納手段と、ユーザの未来の行動に関する未来行動情報を取得する未来行動情報取得手段と、行動統計情報格納手段によって格納された行動統計情報から、未来行動情報取得手段によって取得された未来行動情報に対応する過去行動情報に対応付けられた持ち物情報を抽出する持ち物情報抽出手段と、持ち物情報抽出手段によって抽出された持ち物情報を出力する持ち物情報出力手段と、を備える。
【０００９】
このような持ち物提案装置によれば、未来行動情報取得手段により、ユーザの未来の行動に関する未来行動情報が取得され、持ち物情報抽出手段により、行動統計情報格納手段によって格納された行動統計情報から、未来行動情報に対応する過去行動情報に対応付けられた持ち物情報が抽出され、持ち物情報出力手段により、抽出された持ち物情報が出力される。つまり、かかる構成を採れば、ユーザの未来の行動に対して持ち物を提案することができる。そして、持ち物を提案する際に、複数のユーザそれぞれの過去プランでの持ち物が集合知として利用されるため、ユーザの未来の行動により適合した持ち物を提案することができる。
【００１０】
また、本発明の持ち物提案装置において、行動統計情報格納手段によって格納された行動統計情報には、当該行動が取られた際の環境に関する過去環境情報がさらに対応付けられており、未来行動情報取得手段は、未来行動情報と、当該未来行動情報が示す行動が取られる際の環境に関する未来環境情報とを取得し、持ち物情報抽出手段は、行動統計情報格納手段によって格納された行動統計情報から、未来行動情報取得手段によって取得された未来行動情報と未来環境情報とにそれぞれ対応する過去行動情報と過去環境情報とに対応付けられた持ち物情報を抽出する、ことが好ましい。かかる構成を採れば、ユーザの未来の行動に対して持ち物を提案する際に、当該行動が取られる際の環境を考慮した持ち物を提案することができるため、当該行動により適合した持ち物を提案することができる。例えば、環境として天気を採用した場合、ユーザの未来の行動が晴れているときに取られるのであれば、過去の晴れていたときの持ち物を考慮して提案し、ユーザの未来の行動が雨が降っているときに取られるのであれば、過去の雨が降っていたときの持ち物を考慮して提案することができる。
【００１１】
また、本発明の持ち物提案装置において、ユーザの現在の状況に関する状況情報を取得する状況情報取得手段をさらに備え、持ち物情報出力手段は、持ち物情報抽出手段によって抽出された持ち物情報を、状況情報取得手段によって取得された状況情報に基づいて出力する、ことが好ましい。かかる構成を採れば、持ち物を提案する際に、ユーザの現在の状況に基づいて提案することができるため、例えばユーザが現在準備すべき持ち物を提案することができ、ユーザの利便性が向上する。例えば、ユーザが現在、抽出された持ち物情報が示す持ち物のうち一部の持ち物を購入することができる店舗付近にいる場合、当該一部の持ち物を優先的に提案することで、ユーザに当該店舗にて当該一部の持ち物を購入することを促し、現在準備すべき持ち物を確実に準備させることができる。
【００１２】
また、本発明の持ち物提案装置において、持ち物情報出力手段は、持ち物情報抽出手段によって抽出された持ち物情報のうち、持ち物情報が示す持ち物が行動統計情報格納手段によって格納された行動統計情報において行動特有の持ち物である持ち物情報を優先して出力する、ことが好ましい。かかる構成を採れば、行動特有の持ち物が優先的に提案されるため、ユーザは行動特有の持ち物を確実に準備することができる。例えば、旅行に慣れたユーザにとっては、一般のユーザが旅行に持っていく持ち物は予め頭の中に入っているため、行動特有の持ち物、例えば特殊な持ち物や一風変わった持ち物が優先的に提案された方が、新たな発見があり、有効である。
【００１３】
また、本発明の持ち物提案装置において、行動統計情報格納手段によって格納された行動統計情報には、当該持ち物が過去の旅行プランにおいて設定されているユーザの割合に関する割合情報がさらに対応付けられており、持ち物情報出力手段は、持ち物情報抽出手段によって抽出された持ち物情報と、行動統計情報格納手段によって格納された行動統計情報において当該持ち物情報に対応付けられた割合情報とを出力する、ことが好ましい。かかる構成を採れば、ユーザの未来の行動に対して持ち物を提案する際に、当該持ち物が過去の旅行プランにおいて設定されているユーザの割合も出力するため、ユーザは当該割合を参考にして持ち物を準備することができ、ユーザの利便性が向上する。例えば、ユーザは割合がより大きい持ち物をより確実・優先的に準備することで、旅行において多くの人が持っていく持ち物を忘れることによるトラブルを減少させ、旅行の満足度を向上することができる。
【００１４】
また、本発明の持ち物提案装置において、ユーザの未来の旅行プランに関する未来プラン情報を入力する未来プラン情報入力手段をさらに備え、未来行動情報取得手段は、未来プラン情報入力手段によって入力された未来プラン情報から抽出された未来行動情報を取得する、ことが好ましい。かかる構成を採れば、ユーザは、未来の旅行プランに関する未来プラン情報を入力することで、当該旅行プランでの持ち物の提案が得られるため、ユーザの利便性が向上する。
【００１５】
また、本発明の持ち物提案装置において、未来プラン情報入力手段によって入力された未来プラン情報を過去プラン情報として格納する過去プラン情報格納手段と、過去プラン情報格納手段によって格納された過去プラン情報と、当該過去プラン情報から抽出された過去行動情報とに基づいて統計処理を行い、行動統計情報を生成する行動統計情報生成手段と、をさらに備え、行動統計情報格納手段は、行動統計情報生成手段によって生成された行動統計情報を格納する、ことが好ましい。かかる構成を採れば、ユーザが未来プラン情報を入力することで、自動的に集合知である行動統計情報が生成される。
【００１６】
ところで、本発明は、上記のように持ち物提案装置の発明として記述できる他に、以下のように持ち物提案方法の発明としても記述することができる。これはカテゴリが異なるだけで、実質的に同一の発明であり、同様の作用及び効果を奏する。
【００１７】
即ち、本発明に係る持ち物提案方法は、複数のユーザそれぞれの過去の旅行プランに関する過去プラン情報に基づいた統計であり、当該過去の旅行プランにおいて取られたユーザの行動に関する過去行動情報と、当該行動が取られた際のユーザの持ち物に関する持ち物情報とが対応付けられた行動統計情報を格納する行動統計情報格納手段を備える持ち物提案装置により実行される持ち物提案方法であって、ユーザの未来の行動に関する未来行動情報を取得する未来行動情報取得ステップと、行動統計情報格納手段によって格納された行動統計情報から、未来行動情報取得ステップにおいて取得された未来行動情報に対応する過去行動情報に対応付けられた持ち物情報を抽出する持ち物情報抽出ステップと、持ち物情報抽出ステップにおいて抽出された持ち物情報を出力する持ち物情報出力ステップと、を含む。
【発明の効果】
【００１８】
本発明によれば、ユーザの未来の行動に対して持ち物を提案することができる。
【図面の簡単な説明】
【００１９】
【図１】本発明の実施形態に係る持ち物提案装置の機能ブロック図である。
【図２】本発明の実施形態に係る持ち物提案装置のハードウェア構成を示す図である。
【図３】未来プラン情報のテーブル例を示す図である。
【図４】過去行動情報又は未来行動情報のテーブル例を示す図である。
【図５】行動統計情報のテーブル例を示す図である。
【図６】特定の日時及び場所の環境に関するテーブル情報のテーブル例を示す図である。
【図７】持ち物情報抽出部１７により抽出された行動統計情報のレコードの例を示すテーブル図である。
【図８】状況情報のテーブル例を示す図である。
【図９】持ち物情報出力部１９により出力された行動統計情報のレコードの例を示すテーブル図である。
【図１０】本発明の実施形態に係る持ち物提案装置で実行される処理（持ち物提案方法）を示すフローチャートである。
【発明を実施するための形態】
【００２０】
以下、図面とともに本発明による持ち物提案装置及び持ち物提案方法の好適な実施形態について詳細に説明する。なお、図面の説明においては同一要素には同一符号を付し、重複する説明を省略する。
【００２１】
図１は、持ち物提案装置１の機能ブロック図である。図１に示す通り、持ち物提案装置１は、未来プラン情報入力部１０（未来プラン情報入力手段）、過去プラン情報格納部１１（過去プラン情報格納手段）、過去行動抽出部１２、行動統計情報生成部１３（行動統計情報生成手段）、行動統計情報格納部１４（行動統計情報格納手段）、未来行動抽出部１５、未来行動情報取得部１６（未来行動情報取得手段）、持ち物情報抽出部１７（持ち物情報抽出手段）、状況情報取得部１８（状況情報取得手段）及び持ち物情報出力部１９（持ち物情報出力手段）を含んで構成される。
【００２２】
持ち物提案装置１は、ＣＰＵ等のハードウェアから構成されているものである。図２は、持ち物提案装置１のハードウェア構成の一例を示す図である。図１に示される持ち物提案装置１は、物理的には、図２に示すように、ＣＰＵ１００、主記憶装置であるＲＡＭ１０１及びＲＯＭ１０２、ディスプレイ等の入出力装置１０３、通信モジュール１０４、及び補助記憶装置１０５などを含むコンピュータシステムとして構成されている。
【００２３】
図１に示す持ち物提案装置１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２４】
以下、図１に示す持ち物提案装置１の各機能ブロックについて説明する。
【００２５】
未来プラン情報入力部１０は、ユーザから入出力装置１０３を介して入力された、又は外部の装置からネットワーク及び通信モジュール１０４を介して入力された、ユーザの未来の旅行プランに関する未来プラン情報を入力する。未来プラン情報入力部１０は、入力した未来プラン情報を過去プラン情報格納部１１及び未来行動抽出部１５に出力する。
【００２６】
図３は、未来プラン情報のテーブル例を示す図である。図３に示す通り、未来プラン情報には、図３（ａ）に示す旅行プランのスケジュールに関するスケジュール情報と、図３（ｂ）に示す当該旅行プランが示す旅行の持ち物に関する持ち物情報とが含まれる。スケジュール情報は、一つの旅行（例えば、２泊３日の海外旅行）に対応し、当該旅行に含まれる一つ以上のスケジュールレコードから構成される。各スケジュールレコードには、図３（ａ）に示すように、訪問先、集合場所、出発地、到着地、行動などを示す予定データと、予定データの主な場所のカテゴリである場所カテゴリデータと、予定データの開始日時である開始データと、予定データの終了日時である終了データとが含まれる。スケジュールレコードは、上記データに限るものではなく、一般的なスケジュールソフトウェアが管理するデータを含んでいてよい。持ち物情報は、一つのスケジュール情報に対応し、当該スケジュール情報が示す一つの旅行に持って行く一つ以上の持ち物のリストを含む。
【００２７】
過去プラン情報格納部１１は、未来プラン情報入力部１０によって入力された未来プラン情報を、過去の旅行プランに関する過去プラン情報として格納する。すなわち、一人以上のユーザ（全ユーザ）から入力された未来プラン情報を、内容が同一で（名称が未来プラン情報から過去プラン情報に変更）、履歴として蓄積していく。
【００２８】
過去行動抽出部１２は、過去プラン情報格納部１１によって格納された過去プラン情報のそれぞれについて、当該過去プラン情報が示す過去の旅行プランにおいて取られたユーザの行動に関する過去行動情報を抽出する。過去行動抽出部１２は、抽出した過去行動情報を行動統計情報生成部１３に出力する。
【００２９】
図４は、過去行動抽出部１２によって、図３に示す未来プラン情報（上述の通り過去プラン情報に等しい）から抽出された、過去行動情報（又は後述の未来行動情報）のテーブル例を示す図である。図４に示すテーブル例では、３レコードの過去行動情報から構成されている。各レコードには、図４に示すように、ユーザの行動の内容を示す行動データと、当該行動の所要時間である所要時間データと、当該行動が取られた主な場所である場所データとが含まれる。各レコードは、上記データに限るものでなく、その他の行動に関する情報を含んでいてもよい。過去行動抽出部１２の抽出方法の具体例について説明すると、過去行動抽出部１２は、図３（ａ）に示す、未来プラン情報に含まれるスケジュール情報のうち、予定「Ｍ食堂」のレコードについて、当該予定「Ｍ食堂」と当該レコードの場所カテゴリ「レストラン」とから過去行動情報の行動データとして「食事」を抽出し（予定データと場所カテゴリと行動データとが予め対応付いたテーブル情報を利用して抽出してもよい）、当該レコードの開始時間と終了時間との差分から過去行動情報の所要時間データとして「１時間」を抽出し、当該レコードの場所カテゴリ「レストラン」から過去行動情報の場所データとして「レストラン」を抽出する（場所カテゴリと場所データとが予め対応付いたテーブル情報を利用して抽出してもよい）。
【００３０】
行動統計情報生成部１３は、過去プラン情報格納部１１によって格納された過去プラン情報と、過去行動抽出部１２によって当該過去プラン情報から抽出（入力）された過去行動情報とに基づいて、全ユーザ分又は一部のユーザ分について統計処理を行い、行動統計情報を生成する。行動統計情報は、複数のユーザそれぞれの過去プラン情報に基づいた統計であり、過去プラン情報が示す過去の旅行プランにおいて取られたユーザの行動に関する過去行動情報と、当該行動が取られた際のユーザの持ち物に関する持ち物情報とが対応付けられた情報である。行動統計情報には、当該行動が取られた際の環境に関する過去環境情報がさらに対応付けられていてもよい。また、行動統計情報には、当該持ち物が過去の旅行プランにおいて設定されているユーザの割合に関する割合情報がさらに対応付けられていてもよい。行動統計情報生成部１３は、生成した行動統計情報を行動統計情報格納部１４に出力する。
【００３１】
図５は、行動統計情報のテーブル例を示す図である。図５に示す行動統計情報の各レコードには、行動データと、当該行動が取られた際の所要時間の統計（例えば、１０時間以上など）である所要時間統計データと、場所データと、当該行動が取られた際の持ち物に関する持ち物データと、当該行動が取られた際の天気（環境）に関する天気データと、統計処理を行った全ユーザのうち当該行動を取ったユーザの統計である割合（すなわち、当該行動を取る可能性）に関する可能性データとが含まれる。各レコードは、上記データに限るものでなく、その他の行動に関する情報や天気以外の環境に関する情報や統計情報を含んでいてもよい。例えば、図５に示す行動統計情報のテーブル例のうち、１レコード目の情報は、「１０時間以上かけて飛行機に乗るとき（天気は晴れ）に、本を持って行くユーザは全ユーザの７０％存在する」を意味する。
【００３２】
行動統計情報生成部１３の行動統計情報の生成方法の具体例について説明すると、行動統計情報生成部１３は、過去行動抽出部１２によって抽出された全ユーザの過去行動情報のうち、行動データが「移動」かつ場所データが「飛行機」である過去行動情報を抽出し、抽出した各過去行動情報に含まれる所要時間データの統計処理を行って行動統計情報の所要時間統計データを算出し、抽出した各過去行動情報の抽出元である過去プラン情報に含まれる持ち物情報が示す持ち物を行動統計情報の持ち物データとし（図５に示すテーブル例のように、持ち物ごとに一つのレコードを作成してもよい）、抽出した各過去行動情報の抽出元である過去プラン情報に含まれる開始データ又は終了データに基づいて当該行動が取られた際の天気に関する情報を（外部の装置などから）取得して統計処理を行って（例えば一番多い天気を採用）行動統計情報の天気データとし、抽出した各過去行動情報の抽出元である過去プラン情報に含まれる持ち物情報が示す持ち物に基づいて割合情報を算出して行動統計情報の可能性データとする。なお、上述の天気（環境）に関する情報の取得処理は、持ち物提案装置１が備える不図示の環境抽出部によって行われてもよい。また、当該取得処理を行う際に、図６に示すような、特定の日時及び場所の環境に関するテーブル情報（持ち物提案装置１が予め格納する、又は外部の装置に格納されている）を用いて、行動が取られた際の環境に関する情報を取得してもよい。
【００３３】
行動統計情報格納部１４は、行動統計情報を格納する。より具体的に、行動統計情報格納部１４は、行動統計情報生成部１３によって生成（入力）された行動統計情報を格納する。行動統計情報格納部１４は、ユーザから入出力装置１０３を介して入力された、又は外部の装置からネットワーク及び通信モジュール１０４を介して入力された、行動統計情報を（予め）格納してもよい。
【００３４】
未来行動抽出部１５は、未来プラン情報入力部１０によって入力された未来プラン情報について、当該未来プラン情報が示す未来の旅行プランにおいて取られるユーザの行動に関する未来行動情報を抽出する。未来行動抽出部１５による未来プラン情報から未来行動情報の抽出方法は、過去行動抽出部１２による過去プラン情報から過去行動情報の抽出方法と同様である。未来行動抽出部１５は、抽出した未来行動情報を未来行動情報取得部１６及び持ち物情報抽出部１７に出力する。
【００３５】
未来行動情報取得部１６は、ユーザの未来の行動に関する未来行動情報を取得する。具体的に、未来行動情報取得部１６は、未来行動抽出部１５によって抽出（入力）された未来行動情報を取得する。未来行動情報取得部１６は、ユーザから入出力装置１０３を介して入力された、又は外部の装置からネットワーク及び通信モジュール１０４を介して入力された、未来行動情報を入力してもよい。また、未来行動情報取得部１６は、未来行動情報と、当該未来行動情報が示す行動が取られる際の環境に関する未来環境情報とを取得する。未来行動情報取得部１６による未来環境情報の取得方法の具体例について説明すると、未来行動情報取得部１６が取得した未来行動情報の抽出元である未来プラン情報（未来プラン情報入力部１０から直接未来プラン情報を入力してもよい）に含まれる開始データ又は終了データに基づいて当該行動が取られる際の天気に関する情報を（外部の装置などから）取得（予測）する。なお、上述の天気（環境）に関する情報の取得（予測）処理は、持ち物提案装置１が備える不図示の環境予測部によって行われてもよい。未来行動情報取得部１６は、取得した未来行動情報と未来環境情報（もしあれば）とを持ち物情報抽出部１７に出力する。
【００３６】
持ち物情報抽出部１７は、行動統計情報格納部１４によって格納された行動統計情報から、未来行動情報取得部１６によって取得（入力）された未来行動情報に対応する過去行動情報に対応付けられた持ち物情報を抽出する。また、持ち物情報抽出部１７は、行動統計情報格納部１４によって格納された行動統計情報から、未来行動情報取得部１６によって取得（入力）された未来行動情報と未来環境情報とにそれぞれ対応する過去行動情報と過去環境情報とに対応付けられた持ち物情報を抽出してもよい。以上のように、持ち物情報抽出部１７は、対象としている未来行動情報と、集合知である行動統計情報とを突き合わせ（突合させ）、対応（合致）するものを抽出（抜粋）する。持ち物情報抽出部１７は、抽出した持ち物情報を持ち物情報出力部１９に出力する。
【００３７】
持ち物情報抽出部１７による持ち物情報の抽出方法の具体例について説明する。前提として、行動統計情報格納部１４によって格納された行動統計情報として図５に示すテーブル例を用い、未来行動情報取得部１６によって取得された未来行動情報として図４に示すテーブル例のうち３レコード目「行動：移動、所要時間：１３時間、場所：飛行機」を用いる。この場合、持ち物情報抽出部１７は、図５に示す行動統計情報のうち、行動データが「移動」と一致し、所要時間統計データが「１３時間」を含むもので、場所データが「飛行機」と一致するレコードである、１レコード目及び２レコード目を抽出する。そして、持ち物情報抽出部１７は、それらレコードに含まれる持ち物データの「本」及び「スリッパ」を抽出する。なお、持ち物情報抽出部１７は、持ち物情報のみでなく、対応していると判定した、突合結果である行動統計情報のレコード（上述の例で言うと１レコード目及び２レコード目）を抽出し、持ち物情報出力部１９に出力してもよい。図７は、上述の例において持ち物情報抽出部１７が抽出した行動統計情報のレコードの例を示すテーブル図である。
【００３８】
状況情報取得部１８は、ユーザの現在の状況に関する状況情報を取得する。図８は、状況情報のテーブル例を示す図である。図８に示すように、状況情報には、ユーザを識別するユーザデータと、当該ユーザの未来プラン情報に示された旅行プランの開始までの日にちである状況データと、当該ユーザの現在地を示す現在地データとを含んでいる。各レコードは、上記データに限るものでなく、その他の状況に関する情報を含んでいてもよい。状況情報取得部１８は、取得した状況情報を持ち物情報出力部１９に出力する。
【００３９】
持ち物情報出力部１９は、持ち物情報抽出部１７によって抽出（入力）された持ち物情報を出力する（ユーザに通知する）。例えば、持ち物情報出力部１９は、上述の例の通り抽出された「本」及び「スリッパ」のテキスト情報を、入出力装置１０３に表示したり、通信モジュール１０４を介して他の装置に送信したりする。
【００４０】
持ち物情報出力部１９は、持ち物情報抽出部１７によって抽出された持ち物情報を、状況情報取得部１８によって取得された状況情報に基づいて出力してもよい。例えば、持ち物情報出力部１９は、状況情報に基づいて、対象のユーザが、出発の所定の日（例えば３日）前であることを把握し、早めに用意した方が良い提案内容（持ち物情報）の優先度を上げて出力する。また例えば、持ち物情報出力部１９は、対象のユーザが所定の位置（例えばＢデパート）にいる場合、持ち物情報抽出部１７によって抽出された持ち物情報が示す持ち物のうち、その位置（又はその位置付近）で購入できるものがあった場合に優先度を上げて出力する。
【００４１】
持ち物情報出力部１９は、持ち物情報抽出部１７によって抽出された持ち物情報のうち、持ち物情報が示す持ち物が行動統計情報格納部１４によって格納された行動統計情報において行動特有の持ち物である持ち物情報を優先して出力してもよい。例えば、図５に示す行動統計情報のテーブル例より、持ち物データ「本」は、長距離移動をする場合、飛行機及び新幹線問わず持っていくが、持ち物データ「スリッパ」は、飛行機特有の事であることがわかる。そのような場合、持ち物情報出力部１９は、持ち物情報抽出部１７から図７に示す行動統計情報のレコードを入力した場合、図９に示す変更後の行動統計情報のレコードのように、「スリッパ」を優先して（レコードの上位に移動して）出力する。
【００４２】
持ち物情報出力部１９は、持ち物情報抽出部１７によって抽出された持ち物情報と、行動統計情報格納部１４によって格納された行動統計情報において当該持ち物情報に対応付けられた割合情報とを出力してもよい。図９に示すテーブル例では、持ち物データと共に、可能性データ（割合情報）も出力されている。
【００４３】
続いて、図１０に示すフローチャート図を用いて、本実施形態に係る持ち物提案装置１における持ち物提案方法の処理について説明する。
【００４４】
まず、未来プラン情報入力部１０により、ユーザから未来プラン情報が入力される（ステップＳ１）。次に、未来行動抽出部１５により、Ｓ１にて入力された未来プラン情報から未来行動情報が抽出される（ステップＳ２）。次に、未来行動情報取得部１６により、Ｓ２にて抽出された未来行動情報が取得される（ステップＳ３、未来行動情報取得ステップ）。次に、持ち物情報抽出部１７により、Ｓ３にて取得された未来行動情報と予め行動統計情報格納部１４によって格納された行動統計情報とが突合され、持ち物情報が抽出される（ステップＳ４、持ち物情報抽出ステップ）。次に、持ち物情報出力部１９により、Ｓ４にて抽出された持ち物情報が出力される（ステップＳ５、持ち物情報出力ステップ）。
【００４５】
次に、本実施形態のように構成された持ち物提案装置１の作用効果について説明する。
【００４６】
本実施形態の持ち物提案装置１によれば、未来行動情報取得部１６により、ユーザの未来の行動に関する未来行動情報が取得され、持ち物情報抽出部１７により、行動統計情報格納部１４によって格納された行動統計情報から、未来行動情報に対応する過去行動情報に対応付けられた持ち物情報が抽出され、持ち物情報出力部１９により、抽出された持ち物情報が出力される。つまり、かかる構成を採れば、ユーザの未来の行動に対して持ち物を提案することができる。そして、持ち物を提案する際に、複数のユーザそれぞれの過去プランでの持ち物が集合知として利用されるため、ユーザの未来の行動により適合した持ち物を提案することができる。
【００４７】
また、本実施形態の持ち物提案装置１によれば、行動統計情報格納部１４によって格納された行動統計情報には、当該行動が取られた際の環境に関する過去環境情報がさらに対応付けられており、未来行動情報取得部１６は、未来行動情報と、当該未来行動情報が示す行動が取られる際の環境に関する未来環境情報とを取得し、持ち物情報抽出部１７は、行動統計情報格納部１４によって格納された行動統計情報から、未来行動情報取得部１６によって取得された未来行動情報と未来環境情報とにそれぞれ対応する過去行動情報と過去環境情報とに対応付けられた持ち物情報を抽出する、ことが好ましい。かかる構成を採れば、ユーザの未来の行動に対して持ち物を提案する際に、当該行動が取られる際の環境を考慮した持ち物を提案することができるため、当該行動により適合した持ち物を提案することができる。例えば、環境として天気を採用した場合、ユーザの未来の行動が晴れているときに取られるのであれば、過去の晴れていたときの持ち物を考慮して提案し、ユーザの未来の行動が雨が降っているときに取られるのであれば、過去の雨が降っていたときの持ち物を考慮して提案することができる。
【００４８】
また、本実施形態の持ち物提案装置１によれば、ユーザの現在の状況に関する状況情報を取得する状況情報取得部１８をさらに備え、持ち物情報出力部１９は、持ち物情報抽出部１７によって抽出された持ち物情報を、状況情報取得部１８によって取得された状況情報に基づいて出力する、ことが好ましい。かかる構成を採れば、持ち物を提案する際に、ユーザの現在の状況に基づいて提案することができるため、例えばユーザが現在準備すべき持ち物を提案することができ、ユーザの利便性が向上する。例えば、ユーザが現在、抽出された持ち物情報が示す持ち物のうち一部の持ち物を購入することができる店舗付近にいる場合、当該一部の持ち物を優先的に提案することで、ユーザに当該店舗にて当該一部の持ち物を購入することを促し、現在準備すべき持ち物を確実に準備させることができる。
【００４９】
また、本実施形態の持ち物提案装置１によれば、持ち物情報出力部１９は、持ち物情報抽出部１７によって抽出された持ち物情報のうち、持ち物情報が示す持ち物が行動統計情報格納部１４によって格納された行動統計情報において行動特有の持ち物である持ち物情報を優先して出力する、ことが好ましい。かかる構成を採れば、行動特有の持ち物が優先的に提案されるため、ユーザは行動特有の持ち物を確実に準備することができる。例えば、旅行に慣れたユーザにとっては、一般のユーザが旅行に持っていく持ち物は予め頭の中に入っているため、行動特有の持ち物、例えば特殊な持ち物や一風変わった持ち物が優先的に提案された方が、新たな発見があり、有効である。
【００５０】
また、本実施形態の持ち物提案装置１によれば、行動統計情報格納部１４によって格納された行動統計情報には、当該持ち物が過去の旅行プランにおいて設定されているユーザの割合に関する割合情報がさらに対応付けられており、持ち物情報出力部１９は、持ち物情報抽出部１７によって抽出された持ち物情報と、行動統計情報格納部１４によって格納された行動統計情報において当該持ち物情報に対応付けられた割合情報とを出力する、ことが好ましい。かかる構成を採れば、ユーザの未来の行動に対して持ち物を提案する際に、当該持ち物が過去の旅行プランにおいて設定されているユーザの割合も出力するため、ユーザは当該割合を参考にして持ち物を準備することができ、ユーザの利便性が向上する。例えば、ユーザは割合がより大きい持ち物をより確実・優先的に準備することで、旅行において多くの人が持っていく持ち物を忘れることによるトラブルを減少させ、旅行の満足度を向上することができる。
【００５１】
また、本実施形態の持ち物提案装置１によれば、ユーザの未来の旅行プランに関する未来プラン情報を入力する未来プラン情報入力部１０をさらに備え、未来行動情報取得部１６は、未来プラン情報入力部１０によって入力された未来プラン情報から抽出された未来行動情報を取得する、ことが好ましい。かかる構成を採れば、ユーザは、未来の旅行プランに関する未来プラン情報を入力することで、当該旅行プランでの持ち物の提案が得られるため、ユーザの利便性が向上する。
【００５２】
また、本実施形態の持ち物提案装置１によれば、未来プラン情報入力部１０によって入力された未来プラン情報を過去プラン情報として格納する過去プラン情報格納部１１と、過去プラン情報格納部１１によって格納された過去プラン情報と、当該過去プラン情報から抽出された過去行動情報とに基づいて統計処理を行い、行動統計情報を生成する行動統計情報生成部１３と、をさらに備え、行動統計情報格納部１４は、行動統計情報生成部１３によって生成された行動統計情報を格納する、ことが好ましい。かかる構成を採れば、ユーザが未来プラン情報を入力することで、自動的に集合知である行動統計情報が生成される。
【００５３】
以上のように、本実施形態の持ち物提案装置１は、過去にユーザが何を行ったかの「行動」と言う内的な要因を基にして持ち物の提案を行う。そして、本実施形態の持ち物提案装置１によれば、どういう環境であれば何を持って行けばよいか、どの持ち物から持って行けばよいか、多くの人は持って行かないが実はあると便利な持ち物、についてユーザは容易に理解することができる。
【符号の説明】
【００５４】
１…持ち物提案装置、１０…未来プラン情報入力部、１１…過去プラン情報格納部、１２…過去行動抽出部、１３…行動統計情報生成部、１４…行動統計情報格納部、１５…未来行動抽出部、１６…未来行動情報取得部、１７…持ち物情報抽出部、１８…状況情報取得部、１９…持ち物情報出力部。
【図１】
0006450143.tif 000002
【図２】
0006450143.tif 000003
【図３】
0006450143.tif 000004
【図４】
0006450143.tif 000005
【図５】
0006450143.tif 000006
【図６】
0006450143.tif 000007
【図７】
0006450143.tif 000008
【図８】
0006450143.tif 000009
【図９】
0006450143.tif 000010
【図１０】
0006450143.tif 000011